(57)【要約】【課題】ドアの反りを防止して、防犯性を高められるドア用の金具を提供する。【解決手段】ドア５０の吊元側に取り付けられるドア金具１と、枠５１の吊元側部材５４の内部に取り付けられる枠金具２とから成り、前記ドア金具１は、ドア５０に固定される取付部３から腕部４が枠５１側へ延び、その先端部に係合軸５を取り付けた構成とし、前記枠金具２は、枠５１の切欠部５９に臨み、内部にコンクリートが流入せず、ストッパ片１０を備えたものとし、前記ドア金具１の腕部４を枠５１の切欠部５９を介して枠金具２に挿入し、係合軸５をドア５０が閉じた状態でストッパ片１０の外側に位置させ、ドア５０の吊元側縦面をバール等で凹状に反らせると、係合軸５がストッパ片１０に当接して、ドア５０の一定量以上の反りが抑制されるようにする。【選択図】図２
2005256282.tif 000002
【特許請求の範囲】
【請求項１】
ドアの吊元側に取り付けられるドア金具から成り、ドアに固定される取付部から腕部が枠側へ延び、その先端部に係合軸を設けた構成とし、前記腕部を枠の切欠部を介して枠の内部に挿入し、ドアが閉じた状態で、ドアの吊元側縦面を凹状に反らせると、係合軸が枠の切欠部に臨む端縁部分に当接して、ドアの一定量以上の反りが抑制されるようにしたドアの反止具。
【請求項２】
請求項１に記載のドア金具と、枠の吊元側部材の内部に取り付けられる枠金具とから成り、前記枠金具は、枠の切欠部に臨み、内部にコンクリートが流入しないものとし、前記ドア金具の腕部を枠の切欠部を介して枠金具に挿入したドアの反止具。
【請求項３】
請求項２に記載の枠金具にストッパ片を設け、前記ドア金具の係合軸をドアが閉じた状態でストッパ片の外側に位置させ、ドアの吊元側縦面を凹状に反らせると、係合軸がストッパ片に当接して、ドアの一定量以上の反りが抑制されるようにしたドアの反止具。
【発明の詳細な説明】
【技術分野】
【０００１】
この発明は、戸外に臨むドアの吊元側の反りを防止し、防犯性を高める金具に関するものである。
【背景技術】
【０００２】
マンション等の玄関に使用される建具として、図５に示すように、ドア５０と枠５１とから成り、枠５１は部材５２乃至５５を方形に組み合わせ、ドア５０の吊元側上端面及び枠５１の下部材５２にヒンジ軸５６を突設し、枠５１の上部材５３及びドア５０の下面にヒンジ穴５７を形成して、ヒンジ軸５６をヒンジ穴５７に挿入することにより、ドア５０を回動自在に支持する形式のものが知られている。
【発明の開示】
【発明が解決しようとする課題】
【０００３】
ところで、上記のような構造の建具では、ドア５０の吊元側の中間部と枠５１の吊元側部材５４との間にバール等を差し込んで抉られると、図中鎖線で示すように、ドア５０に反りが生じて、ヒンジ軸５６がヒンジ穴５７から抜け出し、ドア５０が枠５１から外れる可能性が否定できず、防犯上の懸念があった。
【０００４】
そこで、この発明は、ドアの反りを防止して、防犯性を高められるドア用の金具を提供することを課題とする。
【課題を解決するための手段】
【０００５】
上記課題を解決するため、この発明に係るドア用の反止具は、ドアの吊元側に取り付けられるドア金具から成り、ドアに固定される取付部から腕部が枠側へ延び、その先端部に係合軸を設けた構成とし、前記腕部を枠の切欠部を介して枠の内部に挿入し、ドアが閉じた状態で、ドアの吊元側縦面を凹状に反らせると、係合軸が枠の切欠部に臨む端縁部分に当接して、ドアの一定量以上の反りが抑制されるようにしたのである。
【０００６】
また、前記ドア金具と、枠の吊元側部材の内部に取り付けられる枠金具とから成り、前記枠金具は、枠の切欠部に臨み、内部にコンクリートが流入しないものとし、前記ドア金具の腕部を枠の切欠部を介して枠金具に挿入したのである。
【０００７】
さらに、枠金具にストッパ片を設け、前記ドア金具の係合軸をドアが閉じた状態でストッパ片の外側に位置させ、ドアの吊元側縦面を凹状に反らせると、係合軸がストッパ片に当接して、ドアの一定量以上の反りが抑制されるようにしたのである。
【発明の効果】
【０００８】
上記のような反止具を取り付けると、ドアの吊元側と枠の吊元側部材との間にバール等を差し込んでも、ドアを大きく反らせることができず、ヒンジ軸のヒンジ穴からの抜け出しが阻止されるので、ドアを枠から取り外すことができなくなり、防犯性が向上する。
【発明を実施するための最良の形態】
【０００９】
以下、この発明の実施形態を添付図面に基づいて説明する。
【００１０】
この反止具は、図５に示したものと同様のドア５０及びその枠５１に使用され、図１及び図２に示すように、ドア５０の吊元側中央部に取り付けられるドア金具１と、枠５１の吊元側部材５４の内部に取り付けられる枠金具２とから構成される。
【００１１】
ドア金具１は、図２及び図３に示すように、ドア５０にビス５８で固定される取付部３から腕部４が枠５１側へ延び、その先端部に係合軸５を巻き込むように縦向きに取り付けたものとされている。
【００１２】
枠金具２は、上下の仕切板６、外側板７及び後面板８を片側が開口した箱状に連設し、外側板７の前縁中央部から前面板９を、上下部からストッパ片１０をそれぞれ延出し、ストッパ片１０の先端部を鉤状に後方へ折り曲げた形状とされている。
【００１３】
枠５１の吊元側部材５４の内側は、ドア５０が嵌合する段構造となっており、その内側面には切欠部５９が形成され、切欠部５９の前部側の上下寸法は、係合軸５の長さより小さく、後部側の上下寸法は、係合軸５の長さより大きくなっている。吊元側部材５４の段部には溝６０が形成され、この溝６０にはパッキン６１が嵌め込まれている。
【００１４】
上記のような枠金具２を吊元側部材５４に取り付ける際には、吊元側部材５４の切欠部５９に開口側を臨ませ、前面板９を吊元側部材５４の前板部内面に沿わせる。このように枠金具２を吊元側部材５４に取り付けると、施工に際し、枠５１を固定するコンクリートが枠金具２の内部へ流入しなくなる。
【００１５】
また、ドア５０を枠５１にセットする際には、図４に示すように、ドア５０を開けた状態で、ドア金具１の腕部４を、枠５１の切欠部５９の上下寸法が大きい後部側を介して枠金具２に挿入する。
【００１６】
そして、ドア５０を閉じると、図２及び図３に示すように、ドア金具１の腕部４が旋回して、上下のストッパ片１０の間に入り、係合軸５がストッパ片１０の鉤状先端部の外側に位置する状態となる。
【００１７】
このような状態では、ドア５０の吊元側と枠５１の吊元側部材５４との間にバール等を差し込んで、ドア５０の吊元側縦面を凹状に反らせようとしても、係合軸５がストッパ片１０の鉤状先端部に当接するので、ドア５０が一定量以上反ることがない。
【００１８】
また、仮にストッパ片１０の鉤状先端部が延びて、係合軸５とストッパ片１０との係合が解除されても、切欠部５９の前部側の上下寸法が係合軸５の長さより小さいので、係合軸５が切欠部５９から抜け出すことがなく、ドア５０の反りの拡大が防止される。
【００１９】
従って、図１に示すドア５０において、ヒンジ軸５６のヒンジ穴５７からの抜け出しが防止され、ドア５０を枠５１から取り外すことができなくなり、住戸内への不法侵入を防止することができる。
【００２０】
また、上記実施形態では、ドア金具１及び枠金具２を、ドア５０の上下方向中央部にのみ取り付けたが、これらの金具１，２を、ドア５０の上下方向の複数箇所に取り付けておくと、ドア５０の反り止め効果が向上し、防犯性を高めることができる。
【００２１】
なお、枠金具２のストッパ片１０を省略しても、ドア５０の吊元側縦面を凹状に反らせようとすると、係合軸５が枠５１の切欠部５９に臨む上下端縁部分に当接して、ドア５０の一定量以上の反りが抑制されるので、防犯効果を得ることができる。
【００２２】
また、枠５１の内部にコンクリートを流し込まない場合には、枠金具２を省略しても、枠５１の内部にドア金具１の腕部４が旋回可能な空間が確保されるので、ドア５０の開閉に支障が生じることがない。
【図面の簡単な説明】
【００２３】
【図１】この発明の実施形態に係る反止具のドアへの取付状態を示す図
【図２】同上のドア閉止状態における反止具取付部分の拡大斜視図
【図３】同上のドア閉止状態における拡大横断平面図
【図４】同上のドア開放状態における拡大横断平面図
【図５】従来のドア及び枠の外側正面図
【符号の説明】
【００２４】
１  ドア金具
２  枠金具
３  取付部
４  腕部
５  係合軸
６  仕切板
７  外側板
８  後面板
９  前面板
１０  ストッパ片
５０  ドア
５１  枠
５４  吊元側部材
５６  ヒンジ軸
５７  ヒンジ穴
５９  切欠部
【図１】
2005256282.tif 000003
【図２】
2005256282.tif 000004
【図３】
2005256282.tif 000005
【図４】
2005256282.tif 000006
【図５】
2005256282.tif 000007